(57)【特許請求の範囲】
【請求項１】
複数の固定接点が配設された収納部を有するハウジングと、このハウジングに回動可能に設けられた操作部材と、この操作部材の回動に伴って前記収納部内をスライド移動するスライド部材と、このスライド部材の一面側に保持され前記固定接点と摺接する可動接点と、前記スライド部材の一面側に保持され前記スライド部材を中点位置に復帰させる復帰ばねとを備え、前記操作部材と前記スライド部材はリンク機構により結合されており、このリンク機構は、前記操作部材に設けられた先端に円弧面を有する係合軸と当該係合軸に重ねた状態で形成された当該係合軸よりも太幅の鍔軸とを有する駆動軸部と、前記スライド部材の他面側に設けられた凹状の軸受け部と、前記駆動軸部の前記鍔軸と対向するように前記軸受け部の周りに切り欠かれて設けられた段差部とからなり、前記軸受け部は、凹状の底面側に設けられた細幅の第１係合部と、この第１係合部から上面側に拡開する傾斜面を有する第２係合部とを有し、前記操作部材の回動に伴って、前記駆動軸部の前記係合軸が前記第１係合部から前記第２係合部の傾斜面に沿って移動することを特徴とするスイッチ装置。
【請求項２】
前記リンク機構は、前記操作部材が回動する際、初期の段階では前記駆動軸部の前記係合軸と前記第１係合部とが係合し、一定の角度傾倒した後、前記駆動軸部の前記係合軸と前記第２係合部とが係合することにより、前記駆動軸部の前記係合軸と前記第１係合部との係合時の前記スライド部材の移動量よりも前記駆動軸部の前記係合軸と前記第２係合部との係合時の前記スライド部材の移動量を小さくしたことを特徴とする請求項１記載のスイッチ装置。
【請求項３】
前記リンク機構は、前記駆動軸部と前記軸受け部との結合部を、前記操作部材の回動中心よりも下方に設けたことを特徴とする請求項１、又は２記載のスイッチ装置。
【請求項４】
前記スライド部材のスライド移動に伴って、前記可動接点が前記固定接点を両側から挟持した状態で摺接することを特徴とする請求項１乃至３の何れかに記載のスイッチ装置。
【発明の詳細な説明】
【技術分野】
【０００１】
本発明は、スイッチ装置に係り、特に、操作部材の回動操作によってスライド部材をスライド操作させて接点を切り換えるレバー操作型のスイッチ装置に関する。
【背景技術】
【０００２】
従来のレバー操作型のスイッチ装置としては、回動可能な操作部材の回動に伴って、操作部材とギア機構によって結合された駆動部材が駆動され、この駆動部材が横方向へ移動することによって接点の切り換えを行う構成のものが知られている（例えば、特許文献１参照）。
【０００３】
図７は従来のスイッチ装置の断面図、図８は同分解斜視図であり、図において、１１は前面開放で上面に開口部１１Ａを有する箱型のケースで、ケース１１の下内側壁中央には共通接点１２の先端が、これに対向する左右の内側壁には一対の固定接点１３，１４が植設固定されている。
【０００４】
１５は弾性金属製の可動接点で、中間部１５Ａ下面の円弧状の突部が共通接点１２に弾接すると共に、中間部１５Ａ両端から左右に延出し、ケース１１中央部に突出した保持部１１Ｂに当接して外方に広がった、第一のアーム部１５Ｂ先端には折返部１５Ｃが設けられ、この折返部１５Ｃから延出した第二のアーム部１５Ｄ先端の外方に湾曲した接点部１５Ｅが、ケース１１の左右の内側壁に弾接している。また、可動接点１５の中間部１５Ａには上方へ延出する略Ｌ字状の弾性部１５Ｆが設けられると共に、この弾性部１５Ｆが撓められ先端がケース１１中央部の保持部１１Ｂ下面に弾接することによって、中間部１５Ａ下面の突部が共通接点１２に安定した力で弾接している。
【０００５】
１６はレバーで、上端の操作部１６Ａがケース１１の開口部１１Ａから上方に突出し、円孔状の軸部１６Ｂがケース１１内底面中央の円柱状の軸部１１Ｃに回動可能に装着されると共に、下端には歯車状の当接部１６Ｃが設けられている。
１７は摺動体で、左右方向へ摺動可能にケース１１内に収納されると共に、両端の押圧部１７Ａが可動接点１５の折返部１５Ｃ近傍に当接し、上面の歯形の係合部１７Ｂがレバー１６下端の当接部１６Ｃと噛合っている。
そして、これら可動接点１５やレバー１６、摺動体１７等が収納されたケース１１の前面を、カバー１８が覆ってレバースイッチが構成されている。
【０００６】
以上の構成において、図７の中立状態から、レバー１６の操作部１６Ａを例えば右方向に回動操作すると、軸部１６Ｂを支点としてレバー１６が回動するため、上面の係合部１７Ｂがレバー１６下端の当接部１６Ｃと噛合った摺動体１７が、ケース１１内底面上を左方向へ摺動する。
そして、摺動体１７左端の押圧部１７Ａが可動接点１５の折返部１５Ｃ近傍の第一のアーム部１５Ｂを押圧するため、左側の第一のアーム部１５Ｂや第二のアーム部１５Ｄが撓み、左側の接点部１５Ｅがケース１１の左内側壁面を下方向に弾接摺動する。
【０００７】
この後、レバー１６の操作部１６Ａをさらに回動すると、可動接点１５の接点部１５Ｅがさらに下方向に弾接摺動し、固定接点１３に接触することによって、可動接点１５を介した固定接点１３と共通接点１２との電気的接続が行われる。
そして、レバー１６の操作部１６Ａへの操作力を解除すると、第一のアーム部１５Ｂや第二のアーム部１５Ｄが撓められた可動接点１５の弾性復帰力によって、接点部１５Ｅが上方向に弾接摺動して固定接点１３から離れると共に、可動接点１５に押圧された摺動体１７が中央方向へ摺動し、これによってレバー１６が回動して、操作部１６Ａが中立状態に復帰する。
【０００８】
【特許文献１】特開２００３−１３２７６５号公報
【発明の開示】
【発明が解決しようとする課題】
【０００９】
しかしながら、上述した従来のスイッチ装置においては、レバー（操作部材）と摺動体（スライド部材）との連結が歯車状の当接部と歯形の係合部とのギア機構によって行われているため、噛み合わせが悪いとギア部同士の摩耗が発生し、操作時の感触が悪くなるという問題があった。
また、ギアによる移動のため、歯車数が少ないとスイッチを小型化した場合には移動量を大きくできず、接点の切り換え時の移動量が小さくなり絶縁性に難点があった。
【００１０】
従って、本発明は上記した問題点を解決し、操作部材とスライド部材との連結部に摩耗などの発生が無く良好な操作感触が得られ、小型化の可能なスイッチ装置を提供することを目的とする。
【課題を解決するための手段】
【００１１】
上記課題を解決するために本発明では第１の解決手段として、複数の固定接点が配設された収納部を有するハウジングと、このハウジングに回動可能に設けられた操作部材と、この操作部材の回動に伴って前記収納部内をスライド移動するスライド部材と、このスライド部材の一面側に保持され前記固定接点と摺接する可動接点と、前記スライド部材の一面側に保持され前記スライド部材を中点位置に復帰させる復帰ばねとを備え、前記操作部材と前記スライド部材はリンク機構により結合されており、このリンク機構は、前記操作部材に設けられた先端に円弧面を有する係合軸と当該係合軸に重ねた状態で形成された当該係合軸よりも太幅の鍔軸とを有する駆動軸部と、前記スライド部材の他面側に設けられた凹状の軸受け部と、前記駆動軸部の前記鍔軸と対向するように前記軸受け部の周りに切り欠かれて設けられた段差部とからなり、前記軸受け部は、凹状の底面側に設けられた細幅の第１係合部と、この第１係合部から上面側に拡開する傾斜面を有する第２係合部とを有し、前記操作部材の回動に伴って、前記駆動軸部の前記係合軸が前記第１係合部から前記第２係合部の傾斜面に沿って移動する構成とした。
【００１２】
また、第２の解決手段として、前記リンク機構は、前記操作部材が回動する際、初期の段階では前記駆動軸部の前記係合軸と前記第１係合部とが係合し、一定の角度傾倒した後、前記駆動軸部の前記係合軸と前記第２係合部とが係合することにより、前記駆動軸部の前記係合軸と前記第１係合部との係合時の前記スライド部材の移動量よりも前記駆動軸部の前記係合軸と前記第２係合部との係合時の前記スライド部材の移動量を小さくした構成とした。
また、第３の解決手段として、前記リンク機構は、前記駆動軸部と前記軸受け部との結合部を、前記操作部材の回動中心よりも下方に設けた構成とした。
また、第４の解決手段として、前記スライド部材のスライド移動に伴って、前記可動接点が前記固定接点を両側から挟持した状態で摺接する構成とした。
【発明の効果】
【００１３】
上述したように、本発明のスイッチ装置は、複数の固定接点が配設された収納部を有するハウジングと、ハウジングに回動可能に設けられた操作部材と、操作部材の回動に伴って収納部内をスライド移動するスライド部材と、スライド部材の一面側に保持され固定接点と摺接する可動接点と、スライド部材の一面側に保持されスライド部材を中点位置に復帰させる復帰ばねとを備え、操作部材とスライド部材はリンク機構により結合されており、リンク機構は、操作部材に設けられた先端に円弧面を有する係合軸と当該係合軸に重ねた状態で形成された当該係合軸よりも太幅の鍔軸とを有する駆動軸部と、スライド部材の他面側に設けられた凹状の軸受け部と、駆動軸部の鍔軸と対向するように軸受け部の周りに切り欠かれて設けられた段差部とからなり、軸受け部は、凹状の底面側に設けられた細幅の第１係合部と、この第１係合部から上面側に拡開する傾斜面を有する第２係合部とを有し、操作部材の回動に伴って、駆動軸部の係合軸が第１係合部から第２係合部の傾斜面に沿って移動することから、操作部材とスライド部材との結合部は、カム機構を用いることなくリンク機構で結合したので、噛み合わせが悪くなる虞がなく摩耗が発生するのを防止できるので、良好な操作感触が得られる。また、リンク機構を用いることにより、スライド部材の移動量を大きくできるので、十分な接点切換え時の移動量が得られ、絶縁性を確保できる。また、係合軸と鍔軸を重ねた状態で駆動軸部を形成してあることから駆動軸部を強固に形成でき、駆動軸部の強度を維持したままで操作部材とスライド部材とのリンク機構を構成でき、スイッチ装置の薄型化が図れるものとなり全体の小型化が可能である。
【００１４】
また、リンク機構は、操作部材が回動する際、初期の段階では駆動軸部の係合軸と第１係合部とが係合し、一定の角度傾倒した後、駆動軸部の係合軸と第２係合部とが係合することにより、駆動軸部の係合軸と第１係合部との係合時のスライド部材の移動量よりも駆動軸部の係合軸と第２係合部との係合時のスライド部材の移動量を小さくしたことから、操作部材が回動する際、初期のスライド部材の移動量を大きくして、一定の回動角度以降はスライド部材の移動量を小さくすることにより、操作部材の回動する角度を大きく設定できると共に、スライド部材の全体の移動量を小さくできるので、操作部材の回動角度を維持したままスイッチ装置の小型化を図ることができる。
また、リンク機構は、駆動軸部と軸受け部との結合部を、操作部材の回動中心よりも下方に設けたことから、操作部材の回動時の操作荷重を無理なくスライド部材に伝達することができ操作性が向上される。
また、スライド部材のスライド移動に伴って、可動接点が固定接点を両側から挟持した状態で摺接することから、接点部が両面摺動接点構造のため、接触が安定し信頼性が向上する。
【発明を実施するための最良の形態】
【００１５】
以下、本発明の実施の形態を図１乃至図６に示す。図１は本発明のスイッチ装置を示す分解斜視図、図２は本発明のスイッチ装置を示す正面側から見た分解斜視図、図３は本発明のスイッチ装置を示す裏面側から見た分解斜視図、図４は本発明のスイッチ装置の初期状態を示す動作説明図、図５は本発明のスイッチ装置の第１動作状態を示す動作説明図、図６は本発明のスイッチ装置の第２動作状態を示す動作説明図である。
【００１６】
図１〜図３において、本発明のスイッチ装置は、複数の固定接点２が配設された収納部を有するハウジング１と、ハウジング１に回動可能に設けられた操作部材３と、操作部材３の回動に伴って収納部内をスライド移動するスライド部材４と、スライド部材４に保持され固定接点２と摺接する可動接点５と、スライド部材４を中点位置に復帰させる復帰ばね６と、ハウジング１の収納部の上面側を覆うカバー部材７とから主に構成されている。
【００１７】
図に示すように、ハウジング１は、合成樹脂等の絶縁材で形成され、略矩形状の基台部１ａと、この基台部１ａの上面側に一側面及び上面が開口された箱状の収納部１ｃを有する駆動板部１ｂが設けられている。また、基台部１ａの正面には、円柱状の突起１ｄが設けられ、対向する側面には一対のフック状の突起１ｅ、１ｅが設けられている。これら突起１ｄ、１ｅは、スイッチ装置が図示しない電気機器のシャーシ等に取り付けられる際の位置決め部や係止部として使用されるものとなっている。また、基台部１ａの底面側には、複数の接続端子２ｃ、２ｃが突出されている。
【００１８】
また、駆動板部１ｂの収納部１ｃの上面開口部には、円柱状の軸部１ｆが設けられており、この軸部１ｆに後述する操作部材３が回動可能に軸支されるものとなっている。また、収納部１ｃの上面開口部の両開口端には、操作部材３が回動する際の傾倒角度を規制する平面状の一対のストッパー部１ｇ、１ｇが設けられている。
【００１９】
また、収納部１ｂ内の上面開口部側には、基台部１ａの底面と平行な方向に直線状の突条からなるガイド壁１ｈが設けられており、このガイド壁１ｈの下側で収納部１ｂ内の略中央には、中央に切り溝部１ｉを介して対向され、ガイド壁１ｈと平行に配設されたばね受け部１ｊが設けられている。このバネ受け部１ｊの切り溝部１ｉに、コイル状の金属線材からなる復帰ばね６が係合されて、後述するスライド部材４を中点位置に付勢し保持するものとなっている。また、互いに平行に配設されたガイド壁１ｈ及びばね受け部１ｊがスライド部材４のスライド動作時のガイド部を構成しており、スライド部材４はこのガイド部に沿って横方向にスライド移動可能となっている。
【００２０】
また、収納部１ｂ内の下面側で基台部１ａ寄りには、導電性の金属板からなる、複数（本実施例では３個）の固定接点２が立設されて配設されている。この固定接点２は、中央の共通固定接点２ａと両側の一対の個別固定接点２ｂ、２ｂとからなり、この固定接点２の両面を挟持して跨るように、弾性を有する導電性の金属薄板からなるクリップ状の可動接点５が係合されて配設されている。この可動接点５は、後述するスライド部材４に保持されており、スライド部材４が中点位置にある初期状態においては、接点部５ａの全てが中央の共通固定接点２ａと導通され、一対の個別固定接点とは離間された状態となっている。
【００２１】
この可動接点５は、スライド部材４がスライド移動されるのに伴って、固定接点２の共通固定接点２ａと個別固定接点２ｂ、２ｂ上に摺接されるものとなっている。このように、スライド部材４のスライド移動に伴って、可動接点５が固定接点２を両側から挟持した状態で摺接することから、接点部５ａが両面摺動接点構造のため、接触が安定し信頼性が向上するものとなる。
【００２２】
また、固定接点２を構成する共通固定接点２ａ及び個別固定接点２ｂ、２ｂは、ハウジング１内にインサート成形等の方法により一体に埋設されており、基台部１ａ内で底面側に突出された複数の接続端子２ｃ、２ｃと導通されている。
また、駆動板部１ｂの収納部１ｃの外側部には、上方及び下方にそれぞれ対向して外方へ突出する２対の係止突起１ｋ、１ｋが設けられている。この係止突起１ｋ、１ｋに後述するカバー部材７の係止片７ａ、７ａが係合されてカバー部材７が駆動板部１ｂの収納部１ｃの開口部を覆うように取り付けられるものとなっている。
【００２３】
操作部材３は、合成樹脂等の絶縁材からなり、厚肉で略矩形状の基部３ａと、この基部３ａの一方側に突出された棒状の操作軸部３ｂと、この操作軸部３ｂとは反対側に延出された駆動軸部３ｃとを有している。また、基部３ａには、貫通する円形の軸孔３ｄが設けられており、この軸孔３ｄが、ハウジング１の駆動板部１ｂに設けられた円柱状の軸部１ｆに挿通され、操作部材３がハウジング１に回動可能に軸支されるものとなっている。また、駆動軸部３ｃは、基部３ａの全体の厚さの中心に対してずらせて一面側に形成されており、やや厚肉で細幅の係合軸３ｅと、やや薄肉で太幅の鍔軸３ｆとを有し、それぞれの先端には円弧面３ｇ、３ｈが設けられている。
【００２４】
この駆動軸部３ｃが後述するスライド部材４の軸受け部４ａと係合してリンク機構を構成している。そして、このリンク機構は、駆動軸部３ｃと軸受け部４ａとの結合部を、操作軸３の回動中心よりも下方に設けてあるので、操作部材３の回動時の操作荷重を無理なくスライド部材４に伝達することができ、操作性が向上されるものとなっている。
【００２５】
スライド部材４は、同じく合成樹脂等の絶縁材からなり、略矩形状をしている。このスライド部材４の一面（表面）側には、上方に位置して凹状の軸受け部４ａが設けられており、これと対向する他面（裏面）側には、横方向に直線状に貫通したガイド溝４ｂと、両側が開放された広幅のばね収納部４ｃ、及び可動接点収納部４ｄが設けられている。また、凹状の軸受け部４ａには、凹状の底面側に設けられた細幅の第１係合部４ｅと、この第１係合部４ｅから上面側に拡開する傾斜面４ｇを有する第２係合部４ｆとが設けられている。また、第１係合部４ｅの底面には円弧面が形成されており、第２係合部４ｆの傾斜面４ｇの上面側は開放されている。また、軸受け部４ａの周りには、略半円状に切り欠かれた段差部４ｈが設けられている。
【００２６】
このスライド部材４は、他面側に形成された、ばね収納部４ｃにコイル状の復帰ばね６が収納され、可動接点収納部４ｄにクリップ状の可動接点５が収納された状態で、ハウジング１の収納部１ｂ内に収納されるものとなっている。この時、スライド部材４の直線状のガイド溝４ｂが、収納部１ｃ内の直線状の突条からなるガイド壁１ｈにガイドされ、ガイド壁１ｈと平行に配設されたばね受け部１ｊが、ばね収納部４ｃの両端部にガイドされることで、ライド部材４のスライド動作時のガイド部が構成されており、スライド部材４はこのガイド部に沿って横方向にスライド移動可能に配設されている。
【００２７】
この時、ばね収納部４ｃに収納された復帰ばね６は、巻回部が収納部１ｃの切り溝部１ｉに係合されて、その両端がばね受け部１ｊ、１ｊに当接された状態となっており、この状態で復帰ばね６の弾性力（付勢力）によってスライド部材４が収納部１ｃの中央位置に保持されている。また、可動接点収納部４ｄに収納されたクリップ状の可動接点５は、収納部１ｃに立設された固定接点２の中央に位置する共通固定接点２ａに挟持されて保持されている。
【００２８】
また、スライド部材４の軸受け部４ａには、操作部材３の駆動軸部３ｃが係合されている。この時、駆動軸部３ｃの係合軸３ｅと軸受け部４ａの第１係合部４ｅとが係合状態となっており、係合軸３ｅと第２係合部４ｆとは離間している。また、軸受け部４ａの周りに設けられた段差部４ｈと駆動軸部３ｃの鍔軸３ｆとが対向された状態で配置されており、操作部材３が回動する際には、鍔軸３ｆが段差部４ｈに沿って回動するものとなっている。
【００２９】
このように、係合軸３ｅと鍔軸３ｆを重ねた状態で駆動軸部３を形成してあることから、係合軸３ｅを細幅にしても太幅の鍔部３ｆにより駆動軸部３を強固に形成でき、スライド部材４と係合する軸受け部４ａに、鍔部３ｆが回動する際の逃げ部となる段差部４ｈを形成するようにしたので、駆動軸部３の強度を維持したままで、操作部材３とスライド部材４とのリンク機構を構成でき、スイッチ装置の薄型化が図れるものとなり全体の小型化が可能となっている。
【００３０】
カバー部材７は、平板状の金属板を打ち抜き、折り曲げることにより形成されており、平板状の上板部７ａと、四隅部から下方に折り曲げられた複数の係止片７ｂ、７ｂとを有している。また、係止片７ｂには、開口状の係止孔７ｃが設けられており、この係止孔７ｃと、駆動板部１ｂの収納部１ｃの外側部に突出して設けられた係止突起１ｋが係合されることにより、カバー部材７が駆動板部１ｂの収納部１ｃの開口部を覆うように取り付けられている。
【００３１】
次に、図４〜図６を用いて上記実施例のスイッチ装置の動作を説明する。
まず、図４に示すのは、操作部材３が中央位置の初期状態を示しており、この状態では、スライド部材４は、ばね収納部４ｃに保持された復帰ばね６（図１参照）の弾性力により収納部１ｃの中央位置に付勢されて保持されている。この時、操作部材３は、駆動軸部３ｃの係合軸３ｅがスライド部材４の軸受け部４ａの第１係合部４ｅに係合されて中央位置に保持されている。また、可動接点収納部４ｄに収納されたクリップ状の可動接点５（図１参照）は、収納部１ｃに立設された固定接点２の中央に位置する共通固定接点２ａに挟持されて保持（図３参照）されており、この状態では両側に位置する各個別接点２ｂ、２ｂとは離間しておりスイッチはオフ状態となっている。
【００３２】
次に、図５に示すように、復帰ばね６の付勢力に抗して操作部材３を図示左方向へ回動操作させると、駆動軸部３ｃの係合軸３ｅの円弧面３ｇが、軸受け部４ａの第１係合部４ｅの図示右側の内側面を摺動することによりスライド部材４が中央から図示右方向へスライド移動するものとなる。そして、スライド部材４の移動に伴って可動接点５も図示右方向に移動され、右側の個別固定接点２ｂと接触するものとなり右側のスイッチ接点がオン状態となる。
尚、この時のスライド部材４の移動量は、係合軸３ｅが細幅の第１係合部４ｅと摺動することとなり、この場合、係合軸３ｅの幅寸法及び円弧面３ｇの径寸法と、第１係合部４ｅの幅寸法及び円弧面の径寸法とがほぼ同一の寸法で形成されていることにより、遊び無く移動するので比較的大きな移動量が得られるものとなる。
【００３３】
次に、この状態から、図６に示すように、復帰ばね６の付勢力に抗して更に操作部材３を図示左方向へ回動操作させると、駆動軸部３ｃの係合軸３ｅは、円弧面３ｇが軸受け部４ａの第１係合部４ｅから外れて、上面側に拡開する第２係合部４ｆの傾斜面４ｇと摺動することとなる。
この時、第２係合部４ｆは第１係合部４ｅの幅寸法よりも上面側に行くに従って大きくなるように拡開して形成されているので、係合軸３ｅの円弧面３ｇが傾斜面４ｇに沿って上方に移動することで、スライド部材４は更にわずかだけ図示右方向へスライド移動するものとなる。そして、操作部材３の基部３ａ側面が、収納部１ｃの上面開口部の両開口端に設けられたストッパー部１ｇに当接することでその移動が停止される。
【００３４】
そして、このスライド部材４の移動に伴って可動接点５も図示右方向に若干移動されるものとなるが、右側の個別固定接点２ｂと接触した状態のまま右側のスイッチ接点はオン状態を維持している。尚、この時のスライド部材４の移動量は、係合軸４ｅが上面側に拡開する第２係合部４ｆの傾斜面４ｇと摺動することにより、遊びが発生するので比較的小さな移動量となる。
【００３５】
本実施例においては、操作部材３とスライド部材４のリンク機構は、操作部材３が回動する際に、初期の段階では、駆動軸部３ｃの係合軸３ｅと軸受け部４ａの第１係合部４ｅとが係合し、操作部材３が更に回動して一定の角度傾倒した後には、駆動軸部３ｃの係合軸３ｅと軸受け部４ａの第２係合部４ｆとが係合するように形成されており、こうすることにより、駆動軸部３ｃの係合軸３ｅと軸受け部４ａの第１係合部４ｅとの係合時のスライド部材４の移動量に対して、駆動軸部３ｃの係合軸３ｅと軸受け部４ａの第２係合部４ｆとの係合時のスライド部材４の移動量の方が小さくなるように形成されている。
【００３６】
このように、本実施例では、操作部材３が回動する際、初期の段階では駆動軸部３ｃの係合軸３ｅと第１係合部４ｅとが係合し、一定の角度傾倒した後、駆動軸部３ｃの係合軸３ｅと第２係合部４ｆとが係合することにより、駆動軸部３ｃの係合軸３ｅと第１係合部４ｅとの係合時のスライド部材４の移動量よりも駆動軸部３ｃの係合軸３ｅと第２係合部４ｆとの係合時のスライド部材４の移動量を小さくしたことから、操作部材３が回動する際、初期のスライド部材４の移動量を大きくして、一定の回動角度以降はスライド部材４の移動量を小さくすることにより、操作部材３の回動する角度を大きく設定できると共に、スライド部材４の全体の移動量を小さくできるので、操作部材３の回動角度を維持したままスイッチ装置の小型化を図ることができるものとなっている。
【００３７】
この状態から、操作部材３への押圧操作力を解除すると、スライド部材４が復帰ばね６の弾性力によって図示左方向へ付勢され収納部１ｃの中央位置へとスライド移動するものとなり、これに伴って可動接点５も中央位置に移動されることにより右側の個別固定接点２ｂと離間してスイッチがオフ状態となる。そして、操作部材３もスライド部材４に伴って中央位置に復帰して、図４に示す初期状態に復帰する。
尚、図示右方向に操作部材３を回動させる場合の動作については、上記と同様なためその説明は省略する。
【００３８】
上記した本発明の実施例によれば、操作部材３とスライド部材４はリンク機構により結合されており、リンク機構は、操作部材３に設けられた先端に円弧面３ｇを有する駆動軸部３ｃと、スライド部材４に設けられた凹状の軸受け部４ａとからなり、軸受け部４ａは、凹状の底面側に設けられた細幅の第１係合部４ｅと、この第１係合部４ｅから上面側に拡開する傾斜面４ｇを有する第２係合部４ｆとを有し、操作部材３の回動に伴って、駆動軸部３ｃが第１係合部４ｅから第２係合部４ｆの傾斜面４ｇに沿って移動することから、操作部材３とスライド部材４との結合部は、カム機構を用いることなくリンク機構で結合したので、噛み合わせが悪くなる虞がなく摩耗が発生するのを防止できるので、良好な操作感触が得られるものとなる。また、リンク機構を用いることにより、スライド部材４の移動量を大きくできるので、十分な接点切換え時の移動量が得られることにより、絶縁性を十分確保できるものとなる。
【図面の簡単な説明】
【００３９】
【図１】本発明のスイッチ装置を示す分解斜視図である。
【図２】本発明のスイッチ装置を示す正面側から見た分解斜視図である。
【図３】本発明のスイッチ装置を示す裏面側から見た分解斜視図である。
【図４】本発明のスイッチ装置の初期状態を示す動作説明図である。
【図５】本発明のスイッチ装置の第１動作状態を示す動作説明図である。
【図６】本発明のスイッチ装置の第２動作状態を示す動作説明図である。
【図７】従来のスイッチ装置を示す断面図である。
【図８】従来のスイッチ装置を示す分解斜視図である。
【符号の説明】
【００４０】
１：ハウジング
１ａ：基台部
１ｂ：駆動板部
１ｃ：収納部
１ｄ：突起
１ｅ：突起
１ｆ：軸部
１ｇ：ストッパー部
１ｈ：ガイド壁
１ｉ：切り溝部
１ｊ：ばね受け部
１ｋ：係止突起
２：固定接点
２ａ：共通固定接点
２ｂ：個別固定接点
２ｃ：接続端子
３：操作部材
３ａ：基部
３ｂ：操作軸部
３ｃ：駆動軸部
３ｄ：軸孔
３ｅ：係合軸
３ｆ：鍔軸
３ｇ：円弧面
３ｈ：円弧面
４：スライド部材
４ａ：軸受け部
４ｂ：ガイド溝
４ｃ：ばね収納部
４ｄ：可動接点収納部
４ｅ：第１係合部
４ｆ：第２係合部
４ｇ：傾斜面
４ｈ：段差部
５：可動接点
５ａ：接点部
６：復帰ばね
７：カバー部材
７ａ：上板部
７ｂ：係止片
７ｃ：係止孔
【図１】
0004744348.tif 000002
【図２】
0004744348.tif 000003
【図３】
0004744348.tif 000004
【図４】
0004744348.tif 000005
【図５】
0004744348.tif 000006
【図６】
0004744348.tif 000007
【図７】
0004744348.tif 000008
【図８】
0004744348.tif 000009